(57)【要約】【課題】  端部が折り曲げられたテープを貼り付けるテープ貼り工程の自動化および効率化を図ることができるテープ貼り装置およびコルゲートマシンを提供する。【解決手段】  テープ１５端部における非粘着面を保持する保持部１０５と、保持部１０５を回動させ、テープ１５端部をテープ１５の粘着面側に折り曲げる回動部と、昇降することにより粘着面を粘着対象物に押し付ける押さえ部１０３と、粘着対象物に貼り付けられるテープ１５を切断する切断部１０９と、が設けられていることを特徴とする。【選択図】  図６
2008184229.tif 000002
【特許請求の範囲】
【請求項１】
テープ端部における非粘着面を保持する保持部と、
前記保持部を回動させ、前記テープ端部をテープの粘着面側に折り曲げる回動部と、
昇降することにより前記粘着面を粘着対象物に押し付ける押さえ部と、
前記粘着対象物に貼り付けられる前記テープを切断する切断部と、
が設けられていることを特徴とするテープ貼り装置。
【請求項２】
前記保持部は、前記非粘着面と接触して吸引することにより発生される吸引力を用いて前記非粘着面を保持することを特徴とする請求項１記載のテープ貼り装置。
【請求項３】
前記テープ端部が折り曲げられた後、
前記保持部は前記非粘着面の保持を解除し、
前記回動部は保持を解除した前記保持部を次のテープ端部の非粘着面を保持する位置に回動させることを特徴とする請求項１または２に記載のテープ貼り装置。
【請求項４】
前記テープ端部が折り曲げられた後、
前記回動部は前記保持部が前記非粘着面を保持した状態のまま、前記保持部を次のテープ端部の非粘着面を保持する位置に回動させ、
前記保持部は回動後に前記非粘着面の保持を解除することを特徴とする請求項１または２に記載のテープ貼り装置。
【請求項５】
請求項１から請求項４のいずれかに記載のテープ貼り装置を備えることを特徴とするコルゲートマシン。
【発明の詳細な説明】
【技術分野】
【０００１】
本発明は、テープ貼り装置およびコルゲートマシン、特にテープの端部を折り曲げて貼り付けを行うテープ貼り装置およびこれを備えたコルゲートマシンに関する。
【背景技術】
【０００２】
段ボールシートを生産するコルゲートマシンでは、原紙（段ボールシートの材料となるボール紙）が巻かれた原紙ロールが配置され、この原紙ロールから供給された原紙を用いて段ボールが生産されている。
近年では、さまざまな種類の段ボールシートを少量生産する傾向にあり、一の原紙ロールを使い切る前に一のオーダー（一の種類の段ボールシートの生産）が終了し、一の原紙から他のオーダーに応じた他の原紙に紙継ぎされることが多い。
【０００３】
紙継ぎ後に一の原紙ロールはコルゲートマシンから排出され、巻き終わり端が解けないように巻き留め用テープで留められ、原紙倉庫に返却される。
巻き留め用テープは、一の原紙ロールを後に使用する際に剥がしやすいように、一方の端部を折り曲げられる場合が多い。このような巻き留め用テープの折り曲げは、作業者により行われることが多く、作業の自動化や効率化を図る上で問題となっていた。
そのため、貼り付けられたテープを剥がしやすくすることを目的として、テープ端部の折り曲げを行うテープカッタが提案されている（例えば、特許文献１参照。）。
【特許文献１】特公昭５８−１５４１５号公報
【発明の開示】
【発明が解決しようとする課題】
【０００４】
上述の特許文献１に記載のテープカッタは、テープを切断する際に端部を折り曲げるだけのものであるため、切断後のテープの貼り付けは作業者が行う必要がある。そのため、上述の巻き留め用テープの貼り付け工程を自動化することができないという問題があった。
【０００５】
さらに、両面テープを用いる場合には、両面テープの端部において粘着層を折り曲げ剥離紙のみとし、粘着層から剥離紙を剥がしやすくし、作業の自動化や効率化を図ることも考えられる。
しかしながら、上述の特許文献１に記載のテープカッタでは、両面テープ端部の粘着層および剥離紙をともに折り曲げることはできても、粘着層のみを折り曲げることができず、両面テープの貼り付け工程を自動化、効率化することができないという問題があった。
【０００６】
本発明は、上記の課題を解決するためになされたものであって、端部が折り曲げられたテープを貼り付けるテープ貼り工程の自動化および効率化を図ることができるテープ貼り装置およびコルゲートマシンを提供することを目的とする。
【課題を解決するための手段】
【０００７】
上記目的を達成するために、本発明は、以下の手段を提供する。
本発明のテープ貼り装置は、テープ端部における非粘着面を保持する保持部と、前記保持部を回動させ、前記テープ端部をテープの粘着面側に折り曲げる回動部と、昇降することにより前記粘着面を粘着対象物に押し付ける押さえ部と、前記粘着対象物に貼り付けられる前記テープを切断する切断部と、が設けられていることを特徴とするテープ貼り装置。
【０００８】
本発明によれば、保持部により保持されたテープの端部を、回動部により粘着面側に折り曲げることにより、テープ端部における粘着面と、折り曲げ後のテープ端部と対向するテープの粘着面とを粘着させることができる。そのため、テープ端部の折り曲げを自動化することができるとともに、効率化を図ることができる。
さらに、端部が折り曲げられたテープを押さえ部により押し付けることにより、端部が折り曲げられたテープは粘着対象物に貼り付けられ、端部が折り曲げられたテープは切断部により切断されテープ貼り装置から切り離される。そのため、テープ貼り工程の自動化および効率化を図ることができる。
【０００９】
上記発明においては、前記保持部は、前記非粘着面と接触して吸引することにより発生される吸引力を用いて前記非粘着面を保持することが望ましい。
【００１０】
本発明によれば、吸引力を用いてテープ端部の非粘着面を保持することにより、非接触面の保持および保持の解除の制御を容易にすることができる。
【００１１】
上記発明においては、前記テープ端部が折り曲げられた後、前記保持部は前記非粘着面の保持を解除し、前記回動部は保持を解除した前記保持部を次のテープ端部の非粘着面を保持する位置に回動させることが望ましい。
【００１２】
本発明によれば、テープ端部を折り曲げた後に、保持部は非接触面の保持を解除するため、テープ端部を確実に折り曲げることができる。一方、次のテープ端部の非接触面を保持する位置に回動する前に、保持部は非接触面の保持を解除するため、テープにおける端部が折り曲げられた形状を損なうことがない。
【００１３】
上記発明においては、前記テープ端部が折り曲げられた後、前記回動部は前記保持部が前記非粘着面を保持した状態のまま、前記保持部を次のテープ端部の非粘着面を保持する位置に回動させ、前記保持部は回動後に前記非粘着面の保持を解除することが望ましい。
【００１４】
本発明によれば、例えばテープが粘着層と剥離紙とから構成される両面テープの場合、保持部は非粘着面である剥離紙を保持した状態のまま回動されるため、テープ端部における剥離紙を粘着層から剥離し、テープ端部における粘着層を折り曲げられた状態のままとすることができる。
【００１５】
本発明のコルゲートマシンは、上記本発明のテープ貼り装置を備えることを特徴とする。
【００１６】
本発明によれば、上記本発明のテープ貼り装置を備えることにより、端部が折り曲げられたテープを貼り付けるテープ貼り工程の自動化を図ることができるとともに、効率化を図ることができる。
【発明の効果】
【００１７】
本発明のテープ貼り装置およびコルゲートマシンによれば、保持部により保持されたテープの端部を、回動部により粘着面側に折り曲げることによりテープ端部を折り曲げ
、押さえ部により端部が折り曲げられたテープを粘着対象物に押し付け、切断部によりテープを切り離すため、端部が折り曲げられたテープを貼り付けるテープ貼り工程の自動化および効率化を図ることができるという効果を奏する。
【発明を実施するための最良の形態】
【００１８】
この発明の一実施形態に係るコルゲートマシンについて、図１から図１８を参照して説明する。
図１は、本実施形態のコルゲートマシンの構成を説明する平面図である。
本実施形態では、本発明を段ボールシートの生産に使用するコルゲートマシンおよびコルゲートマシンに用いられる仕立装置に適用して説明する。
【００１９】
コルゲートマシン１は、図１に示すように、倉庫から搬出された原紙ロール（粘着対象物）３を原紙ロール交換装置７において原紙３Ｓを供給できるように仕立てる仕立装置５と、原紙ロール３を交換することによりシングルフェーサ（図示せず）に供給する原紙を切り替える原紙ロール交換装置７と、原紙ロール交換装置７から取り出された原紙ロール３における原紙の端部（粘着対象物）３Ｅを留める紙端留め装置９と、を備えている。
【００２０】
図２は、図１に示す仕立装置により仕立てられる前の原紙ロールの状態を説明する図である。図３は、図２の巻き留め用テープを説明する部分拡大図である。
ここで、原紙ロール３は原紙を円筒状に巻いたものであって、倉庫から搬出された原紙ロール３は、図２に示すように、原紙の端部３Ｅが巻き留め用テープ（テープ）１１により留められている。巻き留め用テープ１１は、原紙ロール３の円筒面に、原紙の端部３Ｅを跨いで円周方向に沿って貼られているものであって、一方の面が粘着面となっている粘着テープである。この巻き留め用テープ１１は後述する紙端留め装置９により原紙ロール３に貼り付けられる。
【００２１】
巻き留め用テープ１１の一方の端部には、図２および図３に示すように、折り曲げて粘着面同士が粘着された折曲部１３が形成されている。巻き留め用テープ１１における折曲部１３が形成された一方の端部は、原紙ロール３における巻取り回転方向側（図３における反時計回り方向側）に貼り付けられ、他方の端部は、原紙ロール３における繰り出し回転方向側（図３における時計回り方向側）に貼り付けられている。図３に示すように、原紙ロール３が右回転（時計回り）したときに原紙が繰り出される場合、折曲部１３が左側（反時計回り方向）に位置するように、巻き留め用テープ１１が貼り付けられる。
【００２２】
図４は、図１の仕立装置の構成を説明する側面図である。
仕立装置５は原紙ロール３を仕立てるものである。ここで、仕立てとは、原紙倉庫から搬出された原紙ロール３に貼り付けられた巻き留め用テープ１１を剥がすとともに、原紙の端部３Ｅに紙継ぎ用テープ（テープ）１５を貼りつけることを意味するものである。紙継ぎ用テープ１５は、原紙ロール交換装置７において紙継ぎする場合に、交換前の原紙（旧原紙）と交換後の原紙（新原紙）とを接着する両面テープであり、旧原紙と新原紙とを接着する粘着層１５Ａと、接着時に粘着層１５Ａから剥離される剥離紙１５Ｂとから構成されている（図１４参照。）。
仕立装置５には、図４に示すように、巻き留め用テープ１１を原紙ロール３から剥がすテープ除去部１７と、原紙の端部３Ｅに紙継ぎ用テープ１５を貼り付ける仕立て部１９と、原紙ロール３を回転させる駆動部２１と、が設けられている。
【００２３】
図５は、図４の仕立て部の構成を説明する模式図である。
仕立て部１９は、図４および図５に示すように、原紙ロール３上における原紙の端部３Ｅの位置を検出する掬上用センサ４５と、原紙の端部３Ｅを原紙ロール３から掬い上げる原紙スクレーパ４７と、掬い上げられた原紙３Ｓが載せられる仕立て台４９と、仕立て台４９への原紙３Ｓの吸着や離間を制御するブロア部５１と、仕立て台４９上での原紙の端部３Ｅの位置を検出するテープ貼り用センサ５３と、原紙の端部３Ｅに紙継ぎ用テープ１５を貼り付ける紙継ぎ用テープ貼り部（テープ貼り装置）５５と、を備えている。
【００２４】
掬上用センサ４５は、原紙ロール３の外周面に対向した位置であって、原紙スクレーパ４７よりも原紙ロール３の原紙３Ｓが繰り出される回転方向（図５における時計回り方向）側に配置されたセンサである。掬上用センサ４５は、原紙の端部３Ｅの通過を検出するセンサであって、例えば光電センサなどの光学式センサを挙げることができる。
【００２５】
原紙スクレーパ４７は、図５に示すように、原紙の端部３Ｅを原紙ロール３から掬い上げる掬上部５７と、掬い上げられた原紙３Ｓを仕立て台４９に導くガイド部５９と、を備えている。
【００２６】
仕立て台４９は、原紙ロール３から繰り出された原紙の端部３Ｅに紙継ぎ用テープ１５を貼り付ける際に原紙３Ｓが載せられる台であって、仕立て台４９における原紙３Ｓが載る載置面６１が、原紙ロール３の半径方向に沿って延びるように配置されている。
【００２７】
ブロア部５１は仕立て台４９に設けられ、載置面６１から空気を吸引および噴出するものである。載置面６１から空気が吸引されることにより、原紙３Ｓは載置面６１に吸い付けられ、載置面６１から空気が噴出されることにより、原紙３Ｓは載置面６１から離間される。
【００２８】
テープ貼り用センサ５３は仕立て台４９に設けられ、載置面６１に載せられた原紙の端部３Ｅの位置を検出するものである。本実施形態では、テープ貼り用センサ５３が載置面６１における原紙ロール３から離れた端部（図における左側の端部）に配置された場合に適用して説明する。
【００２９】
紙継ぎ用テープ貼り部５５は、原紙の端部３Ｅに沿って（図における紙面に対して垂直方向に沿って）紙継ぎ用テープ１５を貼り付けるものである。
紙継ぎ用テープ貼り部５５は、仕立て台４９の上に、原紙の端部３Ｅに沿って移動可能に設けられている。本実施形態では、紙継ぎ用テープ貼り部５５が載置面６１における原紙ロール３から離れた端部（図における左側の端部）の近傍に配置された場合に適用して説明する。
なお、紙継ぎ用テープ１５の配置位置は、テープ貼り用センサ５３により検出された原紙の端部３Ｅに貼り付けられるため、紙継ぎ用テープ１５よりも原紙ロール３側であることが好ましい。
【００３０】
図６は、図５の紙継ぎ用テープ貼り部の構成を説明する模式図である。図７は、図６の吸着部およびロータリシリンダの構成を説明する模式図である。
紙継ぎ用テープ貼り部５５には、図６および図７に示すように、紙継ぎ用テープ１５が巻かれている紙継ぎ用テープドラム１０１と、紙継ぎ用テープ１５を原紙の端部３Ｅに押し付ける紙継ぎ用押さえ部（押さえ部）１０３と、紙継ぎ用テープ１５の端部を保持する紙継ぎ用吸着部（保持部）１０５と、紙継ぎ用吸着部１０５を回動させる紙継ぎ用ロータリシリンダ（回動部）１０７と、紙継ぎ用テープ１５を切断する紙継ぎ用切断部（切断部）１０９と、が設けられている。
【００３１】
紙継ぎ用テープドラム１０１は、紙継ぎ用テープ１５が巻かれており、テープ貼りにあわせて紙継ぎ用テープ１５を繰り出すものである。
【００３２】
紙継ぎ用押さえ部１０３には、一方の端部を紙継ぎ用回動軸１１１によって支持された紙継ぎ用支持部１１３と、紙継ぎ用支持部１１３の他方の端部に回動可能に配置された紙継ぎ用シュー１１５と、紙継ぎ用支持部１１３および紙継ぎ用シュー１１５を原紙の端部３Ｅに対して接近離間させる紙継ぎ用昇降シリンダ（図１２参照）１１７と、が設けられている。
紙継ぎ用シュー１１５は紙継ぎ用支持部１１３との間に紙継ぎ用テープ１５を保持するとともに、紙継ぎ用テープ１５を原紙の端部３Ｅに押し付けて貼り付けるものである。紙継ぎ用支持部１１３および紙継ぎ用シュー１１５には、紙継ぎ用支持部１１３および紙継ぎ用シュー１１５を原紙の端部３Ｅに接近するように付勢するバネなどの紙継ぎ用付勢部１１９が配置されている。
【００３３】
紙継ぎ用吸着部１０５には、図７に示すように、凹状に形成された紙継ぎ用吸盤１２１と、紙継ぎ用吸盤１２１の凹部から空気を吸引する紙継ぎ用吸引部１２３と、が設けられている。
紙継ぎ用吸盤１２１は、紙継ぎ用テープ１５の端部における剥離紙１５Ｂに吸着して保持するものである。紙継ぎ用吸引部１２３は、紙継ぎ用吸盤１２１の凹部から空気の吸引を制御することにより、紙継ぎ用吸盤１２１による剥離紙１５Ｂの保持、および保持の解除を制御するものである。
【００３４】
紙継ぎ用ロータリシリンダ１０７は、紙継ぎ用吸盤１２１を回動させて紙継ぎ用テープ１５を折り曲げるシリンダである。
【００３５】
紙継ぎ用切断部１０９には、図６に示すように、紙継ぎ用テープ１５を切断する紙継ぎ用ナイフ１２５と、紙継ぎ用ナイフ１２５を紙継ぎ用テープ１５に押し付けて紙継ぎ用テープ１５を切断させる紙継ぎ用切断シリンダ１２７と、が設けられている。
【００３６】
図８は、図１の紙端留め装置の構成を説明する模式図である。図９は、図８の吸着部およびロータリシリンダの構成を説明する模式図である。
紙端留め装置９は、図８および図９に示すように、巻き留め用テープ１１が巻かれている巻き留め用テープドラム１５１と、巻き留め用テープ１１を原紙ロール３に押し付ける巻き留め用押さえ部（押さえ部）１５３と、巻き留め用テープ１１の端部を保持する巻き留め用吸着部（保持部）１５５と、巻き留め用吸着部１５５を回動させる巻き留め用ロータリシリンダ（回動部）１５７と、巻き留め用テープ１１を切断する巻き留め用切断部（切断部）１５９と、原紙ロール３を回転させる巻き留め用回転部１６０と、が設けられている。
【００３７】
紙端留め装置９は、原紙ロール３が配置されていない場合には床面に格納されており、原紙ロール交換装置７から原紙ロール３が搬入されると、床面から上昇して原紙ロール３に押し付けられるものである。この紙端留め装置９を昇降させる機構としては、公知の機構を用いることができ、特に限定するものではない。
【００３８】
巻き留め用テープドラム１５１は、巻き留め用テープ１１が巻かれており、テープ貼りにあわせて巻き留め用テープ１１を繰り出すものである。
【００３９】
巻き留め用押さえ部１５３には、一方の端部を巻き留め用回動軸１６１によって支持された巻き留め用支持部１６３と、巻き留め用支持部１６３の他方の端部に回動可能に配置された巻き留め用シュー１６５と、巻き留め用支持部１６３および巻き留め用シュー１６５を原紙ロール３に対して接近離間させる巻き留め用昇降シリンダ１６７（図１７参照）と、が設けられている。
巻き留め用シュー１６５は巻き留め用支持部１６３との間に巻き留め用テープ１１を保持するとともに、巻き留め用テープ１１を原紙ロール３に押し付けて貼り付けるものである。巻き留め用支持部１６３および巻き留め用シュー１６５には、巻き留め用支持部１６３および巻き留め用シュー１６５を原紙ロール３に接近するように付勢するバネなどの巻き留め用付勢部１６９が配置されている。
【００４０】
巻き留め用吸着部１５５には、図９に示すように、凹状に形成された巻き留め用吸盤１７１と、巻き留め用吸盤１７１の凹部から空気を吸引する巻き留め用吸引部１７３と、が設けられている。
巻き留め用吸盤１７１は、巻き留め用テープ１１の端部における非粘着面に吸着して保持するものである。巻き留め用吸引部１７３は、巻き留め用吸盤１７１の凹部から空気の吸引を制御することにより、巻き留め用吸盤１７１による非粘着面の保持、および保持の解除を制御するものである。
【００４１】
巻き留め用ロータリシリンダ１５７は、巻き留め用吸盤１７１を回動させて巻き留め用テープ１１を折り曲げるシリンダである。
【００４２】
巻き留め用切断部１５９には、図８に示すように、巻き留め用テープ１１を切断する巻き留め用ナイフ１７５と、巻き留め用ナイフ１７５を巻き留め用テープ１１に押し付けて巻き留め用テープ１１を切断させる巻き留め用切断シリンダ１７７と、が設けられている。
【００４３】
次に、上記の構成からなるコルゲートマシン１における原紙ロール３の仕立てについて説明する。
原紙倉庫から搬出された原紙ロール３は、図１および図５に示すように、仕立装置５の支持台３９上に配置される。
原紙ロール３が配置されると、図５に示すように、テープ除去部１７により巻き留め用テープ１１が原紙ロール３から剥がされる。
【００４４】
巻き留め用テープ１１が剥がされた原紙ロール３は、巻取り方向に回転され、図５に示すように、原紙の端部３Ｅが掬上用センサ４５の前を通過する。掬上用センサ４５は原紙の端部３Ｅの通過を検出し、検出信号を駆動部２１に出力する。
駆動部２１は、掬上用センサ４５の検出信号に基づき、原紙の端部３Ｅが原紙スクレーパ４７を通過するまで巻取り方向の回転を継続し、その後、原紙３Ｓの繰り出し方向（図５の時計回り方向）に原紙ロール３を回転させる。
【００４５】
原紙の端部３Ｅは原紙スクレーパ４７より原紙ロール３から掬い上げられ、掬上部５７およびガイド部５９に沿って仕立て台４９の上方に導かれる。
このとき、仕立て台４９の載置面６１からは、ブロア部５１により空気が噴出され、原紙３Ｓは上方に吹き上げられる。
【００４６】
図１０は、原紙の端部を紙継ぎ用テープ貼り部に配置する方法を説明する図である。
その後、駆動部２１は原紙ロール３の回転を止めとともに、ブロア部５１は載置面６１から空気を吸引する。原紙３Ｓは、空気の吸引により載置面６１に吸着される。
駆動部２１は、図１０に示すように、テープ貼り用センサ５３の出力に基づいて原紙ロール３を巻取り方向（図１０における反時計回り方向）に回転させ、原紙の端部３Ｅを紙継ぎ用テープ貼り部５５の配置位置に移動させる。
【００４７】
図１１は、紙継ぎ用テープ貼り部による紙継ぎ用テープ貼りを説明する模式図である。
紙継ぎ用テープ貼り部５５に原紙の端部３Ｅが配置されると、紙継ぎ用昇降シリンダ１１７（図１２参照）により紙継ぎ用シュー１１５が原紙の端部３Ｅに押し付けられ、紙継ぎ用テープ１５の粘着層１５Ａが原紙の端部３Ｅに貼り付けられる。このとき、紙継ぎ用シュー１１５および紙継ぎ用支持部１１３の回動は、紙継ぎ用付勢部１１９により制限されるため、紙継ぎ用テープ１５は所定の力で原紙の端部３Ｅに押し付けられる。
その後、紙継ぎ用テープ貼り部５５は、紙継ぎ用テープ１５を紙継ぎ用テープドラム１０１から繰り出しながら、原紙の端部３Ｅを原紙３Ｓの幅方向（図１１における右方向）に移動し、紙継ぎ用テープ１５の貼り付けを行う。
【００４８】
図１２は、紙継ぎ用テープ貼り部による紙継ぎ用テープ貼りを説明する模式図である。
原紙の端部３Ｅへの紙継ぎ用テープ１５貼りが終わると、紙継ぎ用昇降シリンダ１１７により紙継ぎ用シュー１１５および紙継ぎ用支持部１１３が上昇し、原紙の端部３Ｅから離れる。
紙継ぎ用吸盤１２１は紙継ぎ用テープ１５の剥離紙１５Ｂと接触し、紙継ぎ用吸引部１２３（図７参照）により紙継ぎ用吸盤１２１は紙継ぎ用テープ１５を保持する。紙継ぎ用テープ１５が保持されると、紙継ぎ用切断シリンダ１２７により紙継ぎ用ナイフ１２５が紙継ぎ用テープ１５に押し付けられ、紙継ぎ用テープ１５が切断される。
【００４９】
図１３は、紙継ぎ用テープ貼り部による紙継ぎ用テープ貼りを説明する模式図である。図１４は、図１３における紙継ぎ用テープの端部を説明する部分拡大図である。
紙継ぎ用吸盤１２１は、図１３に示すように、切断された紙継ぎ用テープ１５を保持したまま、紙継ぎ用ロータリシリンダ１０７（図７参照。）により紙継ぎ用テープ１５の粘着層１５Ａ側に回動される。
上述のように紙継ぎ用テープ１５の端部は折り曲げられ、端部の粘着層１５Ａは、折り曲げられた時に対向する粘着層１５Ａに貼り付けられる。
その後、紙継ぎ用吸盤１２１は、紙継ぎ用テープ１５の剥離紙１５Ｂを保持したまま、元の位置に回動される。このとき、紙継ぎ用テープ１５の端部の剥離紙１５Ｂは、図１４に示すように、粘着層１５Ａから剥離される。
【００５０】
図１５は、仕立て部による仕立てが終了した原紙ロールの状態を説明する図である。
紙継ぎ用テープ１５が貼りつけられると、図１０に示すように、載置面６１からの空気の吸引が停止され、原紙ロール３は巻取り方向（図１０における反時計回り方向）へ回転される。原紙ロール３の回転により、載置面６１に載せられた原紙３Ｓは原紙ロール３に巻き取られ、原紙の端部３Ｅが、図１５に示すように、原紙ロール３から垂れ下がる位置まで原紙ロール３は回転される。
図１５に示すように、紙継ぎ用テープ１５が貼り付けられた原紙の端部３Ｅが、原紙ロール３から垂れ下がった状態で、仕立装置５による原紙ロール３の仕立てが完了する。仕立てが完了した原紙ロール３は、図１に示すように、原紙ロール交換装置７に配置され、シングルフェーサ（図示せず）に原紙３Ｓを供給する。
【００５１】
次に、上記の構成からなるコルゲートマシン１の紙端留め装置９における巻き留め用テープ貼りについて説明する。
原紙ロール交換装置７から取り出された原紙ロール３は、図１に示すように、紙端留め装置９に搬送される。
【００５２】
図１６は、巻き留め用テープ貼り部による巻き留め用テープ貼りを説明する模式図である。
紙端留め装置９に原紙ロール３が配置されると、巻き留め用昇降シリンダ１６７により巻き留め用シュー１６５が原紙ロール３に押し付けられ、巻き留め用テープ１１の粘着面が原紙ロール３に貼り付けられる。このとき、巻き留め用シュー１６５および巻き留め用支持部１６３の回動は、巻き留め用付勢部１６９により制限されるため、巻き留め用テープ１１は所定の力で原紙ロール３に押し付けられる。
その後、紙端留め装置９は、巻き留め用テープ１１を巻き留め用テープドラム１５１から繰り出しながら、巻き留め用回転部１６０により原紙ロール３を回転させて巻き留め用テープ１１の貼り付けを行う。
【００５３】
図１７は、巻き留め用テープ貼り部による巻き留め用テープ貼りを説明する模式図である。
原紙ロール３への巻き留め用テープ１１貼りが終わると、巻き留め用昇降シリンダ１６７により巻き留め用シュー１６５および巻き留め用支持部１６３が上昇し、原紙ロール３から離れる。
巻き留め用吸盤１７１は巻き留め用テープ１１の非粘着面と接触し、巻き留め用吸引部１７３（図７参照）により巻き留め用吸盤１７１は巻き留め用テープ１１を保持する。巻き留め用テープ１１が保持されると、巻き留め用切断シリンダ１７７により巻き留め用ナイフ１７５が巻き留め用テープ１１に押し付けられ、巻き留め用テープ１１が切断される。
【００５４】
図１８は、巻き留め用テープ貼り部による巻き留め用テープ貼りを説明する模式図である。
巻き留め用吸盤１７１は、切断された巻き留め用テープ１１を保持したまま、巻き留め用ロータリシリンダ１５７により巻き留め用テープ１１の粘着面側に回動される。
上述のように巻き留め用テープ１１の端部は折り曲げられ、端部の粘着面は、折り曲げられた時に対向する粘着面に貼り付けられ、折曲部１３（図３参照。）が形成される。
その後、巻き留め用吸盤１７１は、巻き留め用テープ１１の非粘着面の保持を解除し、元の位置に回動される。
【００５５】
巻き留め用テープ１１が貼り付けられた原紙ロール３は、図１に示すように、紙端留め装置９から倉庫に返却され、次ぎのオーダーが入力されるまで倉庫に保管される。
【００５６】
上記の構成によれば、紙継ぎ用吸着部１０５により保持された紙継ぎ用テープ１５の端部を、紙継ぎ用ロータリシリンダ１０７により粘着層１５Ａ側に折り曲げることにより、テープ端部における粘着層１５Ａと、折り曲げ後のテープ端部と対向する粘着層１５Ａとを粘着させることができる。そのため、テープ端部における粘着層１５Ａの折り曲げを自動化することができるとともに、効率化を図ることができる。
さらに、端部の粘着層１５Ａが折り曲げられた紙継ぎ用テープ１５を紙継ぎ用押さえ部１０３により押し付けることにより、紙継ぎ用テープ１５は原紙の端部３Ｅに貼り付けられ、紙継ぎ用テープ１５は紙継ぎ用切断部１０９により切断され紙継ぎ用テープ貼り部５５から切り離される。そのため、紙継ぎ用テープ１５を貼り付けるテープ貼り工程の自動化および効率化を図ることができる。
【００５７】
一方、巻き留め用吸着部１５５により保持された巻き留め用テープ１１の端部を、巻き留め用ロータリシリンダ１５７により粘着面側に折り曲げることにより、テープ端部における粘着面と、折り曲げ後のテープ端部と対向する粘着面とを粘着させることができる。そのため、テープ端部の折曲部１３の形成を自動化することができるとともに、効率化を図ることができる。
さらに、折曲部１３が形成された巻き留め用テープ１１を巻き留め用押さえ部１５３により押し付けることにより、巻き留め用テープ１１は原紙ロール３に貼り付けられ、巻き留め用テープ１１は巻き留め用切断部１５９により切断され切り離される。そのため、巻き留め用テープ１１を貼り付けるテープ貼り工程の自動化および効率化を図ることができる。
【００５８】
紙継ぎ用吸着部１０５および巻き留め用吸着部１５５は、吸引力を用いて紙継ぎ用テープ１５および巻き留め用テープ１１のテープ端部を保持することにより、紙継ぎ用テープ１５および巻き留め用テープ１１の保持および保持の解除の制御を容易にすることができる。
【００５９】
紙継ぎ用吸着部１０５は非粘着面である剥離紙１５Ｂを保持した状態のまま回動されるため、テープ端部における剥離紙１５Ｂを粘着層１５Ａから剥離し、テープ端部における粘着層１５Ａを折り曲げられた状態のままとすることができる。
【００６０】
巻き留め用吸着部１５５は、巻き留め用テープ１１のテープ端部を折り曲げた後に非接触面の保持を解除するため、テープ端部を確実に折り曲げることができる。一方、巻き留め用吸着部１５５は、次のテープ端部の非接触面を保持する元の位置に回動する前に非接触面の保持を解除するため、巻き留め用テープ１１に形成された折曲部１３の形状を損なうことがない。
【図面の簡単な説明】
【００６１】
【図１】本発明の一実施形態に係るコルゲートマシンの構成を説明する平面図である。
【図２】図１に示す仕立装置により仕立てられる前の原紙ロールの状態を説明する図である。
【図３】図２の巻き留め用テープを説明する部分拡大図である。
【図４】図１の仕立装置の構成を説明する側面図である。
【図５】図４の仕立て部の構成を説明する模式図である。
【図６】図５の紙継ぎ用テープ貼り部の構成を説明する模式図である。
【図７】図６の吸着部およびロータリシリンダの構成を説明する模式図である。
【図８】図１の紙端留め装置の構成を説明する模式図である。
【図９】図８の吸着部およびロータリシリンダの構成を説明する模式図である。
【図１０】原紙の端部を紙継ぎ用テープ貼り部に配置する方法を説明する図である。
【図１１】紙継ぎ用テープ貼り部による紙継ぎ用テープ貼りを説明する模式図である。
【図１２】紙継ぎ用テープ貼り部による紙継ぎ用テープ貼りを説明する模式図である。
【図１３】紙継ぎ用テープ貼り部による紙継ぎ用テープ貼りを説明する模式図である。
【図１４】図１３における紙継ぎ用テープの端部を説明する部分拡大図である。
【図１５】仕立て部による仕立てが終了した原紙ロールの状態を説明する図である。
【図１６】巻き留め用テープ貼り部による巻き留め用テープ貼りを説明する模式図である。
【図１７】巻き留め用テープ貼り部による巻き留め用テープ貼りを説明する模式図である。
【図１８】巻き留め用テープ貼り部による巻き留め用テープ貼りを説明する模式図である。
【符号の説明】
【００６２】
１  コルゲートマシン
３  原紙ロール（粘着対象物）
３Ｅ  原紙の端部（粘着対象物）
１１  巻き留め用テープ（テープ）
１５  紙継ぎ用テープ（テープ）
５５  紙継ぎ用テープ貼り部（テープ貼り装置）
１０３  紙継ぎ用押さえ部（押さえ部）
１０５  紙継ぎ用吸着部（保持部）
１０７  紙継ぎ用ロータリシリンダ（回動部）
１０９  紙継ぎ用切断部（切断部）
１５３  巻き留め用押さえ部（押さえ部）
１５５  巻き留め用吸着部（保持部）
１５７  巻き留め用ロータリシリンダ（回動部）
１５９  巻き留め用切断部（切断部）
【図１】
2008184229.tif 000003
【図２】
2008184229.tif 000004
【図３】
2008184229.tif 000005
【図４】
2008184229.tif 000006
【図５】
2008184229.tif 000007
【図６】
2008184229.tif 000008
【図７】
2008184229.tif 000009
【図８】
2008184229.tif 000010
【図９】
2008184229.tif 000011
【図１０】
2008184229.tif 000012
【図１１】
2008184229.tif 000013
【図１２】
2008184229.tif 000014
【図１３】
2008184229.tif 000015
【図１４】
2008184229.tif 000016
【図１５】
2008184229.tif 000017
【図１６】
2008184229.tif 000018
【図１７】
2008184229.tif 000019
【図１８】
2008184229.tif 000020